(57)【要約】      （修正有）【課題】冷暖房機における室外機で生じたドレン水を周囲に飛散させることなく集水して、所定箇所に案内排水できるようにするドレンコテクトを提供する。【解決手段】冷暖房機器におけるドレン水の排水口Ｈに装着する排水案内部１と、排水案内部を囲繞する外郭囲繞部１０とから成る。排水案内部１には、排水口の異なる内径に対応して複数段の外径が異なる装着部分１ａ，１ｂ，１ｃを形成し、排水案内部の下部を閉塞している排水底壁部３に排水筒部４を設ける。外郭囲繞部１０には、排水案内部の外周を囲繞する蛇腹状の周壁部１１と、周壁部を立脚させ中央部に至るに伴い下方傾斜する底壁部１２と、底壁部の中央位置で下方に突出形成され、排水筒部４を内側に配置結合して排水案内部１を外郭囲繞部１０と一体状にする連繋筒部１３と、連繋筒部の下部に接続した排水ノズル１５とを設ける。【選択図】図１
0003209047.tif 000002
【実用新案登録請求の範囲】
【請求項１】
冷暖房機器に設けられているドレン水の排水口に装着される排水案内部から成り、この排水案内部には、排水口の異なる内径に対応して、上部側が小径で下部側が大径である複数段の外径が異なる装着部分を形成すると共に、排水案内部の下部を閉塞している排水底壁部に排水筒部を設けたことを特徴とするドレンコレクト。
【請求項２】
装着部分の上端縁部には排水口の内縁に係止するフランジ状の係止縁を設け、この係止縁の外周は、上方に至るに伴い次第に小径となるように傾斜した傾斜面となしてある請求項１に記載のドレンコレクト。
【請求項３】
排水案内部の周囲は、外郭囲繞部によって囲繞されていて、この外郭囲繞部は、排水案内部の内部に排水されたドレン水を外部に案内する排水ノズルを備え、排水案内部の外側に漏出したドレン水を排水ノズルに導出案内するように形成してある請求項１または２に記載のドレンコレクト。
【請求項４】
外郭囲繞部は、排水案内部の外周を所定間隔を隔てて囲繞している蛇腹状の周壁部と、周壁部を周縁部分で立脚させていると共に中央部に至るに伴い次第に下方傾斜している底壁部と、この底壁部のほぼ中央位置で底壁部の下方に突出形成した連繋筒部と、この連繋筒部の下部に接続した排水ノズルとを備える請求項３に記載のドレンコレクト。
【請求項５】
排水案内部の排水筒部と外郭囲繞部の連繋筒部とを、排水筒部を連繋筒部内に配置すると共に、外郭囲繞部で集水したドレン水の案内水路を形成して結合させてある請求項４に記載のドレンコレクト。
【請求項６】
底壁部の内底面には、連繋筒部に通じる溝状の導出水路を形成してある請求項４または５に記載のドレンコレクト。
【考案の詳細な説明】
【技術分野】
【０００１】
この考案は、室内機、室外機等によって家屋等の内外で分離されて配置される態様のいわゆるセパレート型冷暖房機において、室外機から排水されるドレン水を周囲に飛散させることなく排水案内できるようにし、またその排水孔径が異なっていてもそれらに対応調整して装着できる汎用性があるようにしたドレンコレクトに関する。
【背景技術】
【０００２】
従来から、いわゆるセパレート型冷暖房機における室外機では、室外機の内部に配置されている例えば冷気用の機器、配管類の周囲には水滴等が発生、付着しているから、この水滴等を外部に排水するためにこれらを集水するドレンパンに排水口を開穿形成し、この排水口からドレン水を排水している。例えば特許文献１に示される室外機のドレン水処理構造であり、特許文献２に係る空気調和機の室外機である。
【先行技術文献】
【特許文献】
【０００３】
【特許文献１】特開平８−２００７４５号公報
【特許文献２】特開２０１４−１２６２７９号公報
【考案の概要】
【考案が解決しようとする課題】
【０００４】
ところが、上記した従来の室外機によるドレン水の排水処理は、室外機本体内で生じた水滴等はドレンパン等によって集水された後に、排水口を経て外部に排水されるも、この排水口はドレンパン等に単に例えば開穿処理によって形成されているにすぎない。そのため、排水口から排水されるドレン水は、いわゆる垂れ流れ状となって排水口の下方である例えば地面、ベランダ面等に溜まり、周辺を汚損することになる。
【０００５】
そこでこの考案は叙上のような従来存した諸事情に鑑み案出されたもので、その目的は、いわゆるセパレータ型冷暖房機における室外機で生じたドレン水を集水させて排水するに際し、所定箇所に排水案内する排水管を室外機におけるドレン水排水用の排水口に簡単に装着できるようにして、従来のようにドレン水を垂れ流すことで室外機周辺を汚損させることなく、体裁良く排水できるようにしたドレンコレクトを提供することにある。
【課題を解決するための手段】
【０００６】
上述した課題を解決するため、この考案にあっては、冷暖房機器に設けられているドレン水の排水口Ｈに装着される排水案内部１から成り、この排水案内部１は、排水口Ｈの異なる内径に対応して、上部側が小径で下部側が大径である複数段の外径が異なる装着部分１ａ，１ｂ，１ｃを形成すると共に、排水案内部１の下部を閉塞している排水底壁部３に排水筒部４を設けたことを特徴とする。
装着部分１ａ，１ｂ，１ｃの上端縁部には排水口Ｈの内縁に係止するフランジ状の係止縁２ａ，２ｂ，２ｃを設け、この係止縁２ａ，２ｂ，２ｃの外周は、上方に至るに伴い次第に小径となるように傾斜した傾斜面となして構成することができる。
排水案内部１の周囲は、外郭囲繞部１０によって囲繞されていて、この外郭囲繞部１０は、排水案内部１の内部に排水されたドレン水を外部に案内する排水ノズル１５を備え、排水案内部１の外側に漏出したドレン水を排水ノズル１５に導出案内するように形成して構成することができる。
外郭囲繞部１０は、排水案内部１の外周を所定間隔を隔てて囲繞している蛇腹状の周壁部１１と、周壁部１１を周縁部分で立脚させていると共に中央部に至るに伴い次第に下方傾斜している底壁部１２と、この底壁部１２のほぼ中央位置で底壁部１２の下方に突出形成した連繋筒部１３と、この連繋筒部１３の下部に接続した排水ノズル１５とを備える。
排水案内部１の排水筒部４と外郭囲繞部１０の連繋筒部１３とを、排水筒部４を連繋筒部１３内に配置すると共に、外郭囲繞部１０で集水したドレン水の案内水路１４を形成して結合させて構成することができる。
底壁部１２の内底面には、連繋筒部１３に通じる溝状の導出水路１６を形成して構成することができる。
【０００７】
以上のように構成されたこの考案に係るドレンコレクトにあって、冷暖房機器における例えば室外機の底部に開口形成されているドレン水用の排水口Ｈに装着された排水案内部１は、排水口Ｈから排水されるドレン水を排水筒部４を経て所定箇所に排水させる。
排水案内部１における外径が異なる複数段の装着部分１ａ，１ｂ，１ｃは、内径が異なる各種タイプの排水口Ｈそれぞれに対応して選択的に装着させ、係止縁２ａ，２ｂ，２ｃの傾斜面によって排水口Ｈに対する嵌め入れを円滑にさせ、嵌め入れ後は確実な装着状態を維持させる。
排水案内部１の周囲に配される外郭囲繞部１０は、排水口Ｈの周囲に漏出することがあるドレン水を集水させ、排水ノズル１５を経て所定箇所に排水させる。
排水案内部１の排水筒部４と外郭囲繞部１０の連繋筒部１３との結合は、排水案内部１と外郭囲繞部１０とを一体状にさせ、一体化させても外郭囲繞部１０で集水したドレン水を案内水路１４によって連繋筒部１３、排水ノズル１５を経て排水案内させる。
外郭囲繞部１０における底壁部１２の導出水路１６は、外郭囲繞部１０にて集水したドレン水を、中央部に至るよう下方傾斜した底壁部１２と相俟ち、中央部の連繋筒部１３にスムーズに導出させ、排水ノズル１５を経て外部に排水させる。
【考案の効果】
【０００８】
この考案は以上説明したように構成されているため、例えば室外機で生じたドレン水を集水させて排水するに際し、ドレンパンＤに開口形成されているドレン水用の排水口Ｈに排水案内部１を嵌め入れ装着しておくことで、ドレン水は排水筒部４を経て所定箇所に排水でき、しかも外径が異なるいずれかの装着部分１ａ，１ｂ，１ｃによって、排水口Ｈの開口径が異なることがあってもこれに対応して選択装着できる。また、排水案内部１に結合した外郭囲繞部１０によって排水口Ｈ、排水案内部１外に漏出したドレン水を集水して連繋筒部１３、排水ノズル１５を経て所定箇所に排水でき、従来のように排水口Ｈから垂れ流し状になることで周囲を汚損することもない。
【０００９】
すなわち、これはこの考案において、ドレン水の排水口Ｈに装着される排水案内部１が、排水口Ｈの異なる内径に対応して、上部側が小径で下部側が大径である複数段の外径が異なる装着部分１ａ，１ｂ，１ｃを形成し、排水案内部１の下部を閉塞している排水底壁部３に排水筒部４を設けたからである。これによって、排水口Ｈから排水されるドレン水を周囲に飛散させることなく排水筒部４を経て所定箇所に排水案内できる。
【００１０】
また、排水案内部１における装着部分１ａ，１ｂ，１ｃの上端縁部に設けた係止縁２ａ，２ｂ，２ｃによって、この装着部分１ａ，１ｂ，１ｃのいずれかを選択して異なる内径を有する排水口Ｈに対応して嵌め入れることで排水口Ｈの内縁に係止することができる。そのため、例えば設置される室外機のメーカーが異なることで排水口Ｈが異なっていても、それらの各メーカーに対応して装着でき、汎用性に優れる。しかも、排水口Ｈの内縁に係止した係止縁２ａ，２ｂ，２ｃによって簡単に離脱することはなく装着安定性を維持し、更には係止縁２ａ，２ｂ，２ｃの外周は傾斜面となしてあるから、排水口Ｈに対して直接的に強制的にでも嵌め入れるようにしてもスムーズに嵌め入れ作業を遂行することができる。
【００１１】
一方、排水案内部１の周囲を外郭囲繞部１０の周壁部１１によって囲繞してあることで、排水口Ｈに装着した排水案内部１の周囲にドレン水が漏出しても外部に飛散させず、外郭囲繞部１０に設けてある連繋筒部１３、排水ノズル１５を経てドレン水を所定箇所に排水案内できる。
【００１２】
外郭囲繞部１０は、蛇腹状の周壁部１１、中央部に至るに伴い次第に下方傾斜している底壁部１２、底壁部１２のほぼ中央位置で突出形成した連繋筒部１３、排水ノズル１５を備えることで、排水案内部１におけるそれぞれの装着部分１ａ，１ｂ，１ｃによって排水口Ｈに装着したときの外出高さが異なっていても、周壁部１１が蛇腹状であることで、排水口Ｈの外周のドレンパンＤに密着状に当接し、漏出するドレン水を底壁部１２で集水し、連繋筒部１３に案内し、排水ノズル１５によって外部の所定箇所に案内排水できる。
【００１３】
排水案内部１の排水筒部４と外郭囲繞部１０の連繋筒部１３とを、排水筒部４を連繋筒部１３内に配置すると共に、外郭囲繞部１０で集水したドレン水の案内水路１４を形成して結合させることで、排水案内部１に外郭囲繞部１０を一体状に構成できる。一体状に構成することで、排水案内部１内に排水されたドレン水は排水筒部４によることはもとより、外郭囲繞部１０内に集水されて排水筒部４・連繋筒部１３間の案内水路１４を経たドレン水も共に排水ノズル１５に案内されて、例えば接続した排水用管路Ｐによって外部にスムーズに排水できる。
【００１４】
外郭囲繞部１０における底壁部１２の内底面には、連繋筒部１３に通じる溝状の導出水路１６を形成してあることで、外郭囲繞部１０によって集水したドレン水は、中央部に至るに伴い次第に下方傾斜する底壁部１２自体による流出案内と相俟って、連繋筒部１３内に排水させ案内水路１４を経て排水ノズル１５から排水できる。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態における使用状態の断面図である。
【図２】同じく室外機におけるドレン水の排水口の口径が異なる場合の取付状態を示す断面図で、その（ａ）は口径が小径の場合、（ｂ）は口径が大径の場合である。
【図３】同じく外郭囲繞部における排水案内溝を示す図１におけるＸ−Ｘ線断面図である。
【考案を実施するための形態】
【００１７】
以下、図面を参照してこの考案を実施するための一形態を説明すると、図において示される符号１は、いわゆるセパレート型の冷暖房機における室外機の底部に設けられているドレンパンＤのドレン水の排水口Ｈに装着される筒状の排水案内部である。この排水案内部１は、図示のように排水口Ｈに嵌め入れられることで装着されるようにしてあり、排水口Ｈの異なる内径、例えば３つの異なる排水口Ｈの口径に対応するよう、外径が異なる例えばいわゆる大中小にして上部側が小径で下部側が大径である３段状に形成されており、外径が例えば２５ｍｍの第１装着部分１ａ、３３ｍｍの第２装着部分１ｂ、４２ｍｍの第３装着部分１ｃとしてある。
【００１８】
なお、排水口Ｈの内径は、室外機のメーカーによって種々異なっており、それらの異なる内径に対応できれば良いから、各装着部分１ａ，１ｂ，１ｃの外径は上記の例に限定されずに任意に選定でき、またその段数も図示例に限定されない。ただ、排水口Ｈに対する装着状態で、ドレンパンＤの内方に大きく出張るようになるのは好ましくなくても、各装着部分１ａ，１ｂ，１ｃの側壁に排水を導入する小孔を穿設したり、内方への出張り部分を切除したりすることで対応可能でもある（図示せず）。
【００１９】
これらの外径が異なる装着部分１ａ，１ｂ，１ｃは、排水口Ｈにやや強制的に嵌め入れられるようにしてあると共に、嵌め入れ後では外方への大きな抜脱力が付加されても簡単には抜脱されないようにしてある。すなわち図示のように、各装着部分１ａ，１ｂ，１ｃの上端縁部には排水口Ｈの内縁に係止するフランジ状の係止縁２ａ，２ｂ，２ｃが設けられている。この係止縁２ａ，２ｂ，２ｃそれぞれは、排水口Ｈの外方から強制的にも排水口Ｈ内部に嵌め入れられ、嵌め入れ後は排水口Ｈの内縁に係止するのであり、係止縁２ａ，２ｂ，２ｃの外周は、上方に至るに伴い次第に小径となるように傾斜した傾斜面となしておくことで、排水口Ｈに対しての嵌め入れ操作が容易となるように配慮してある。
【００２０】
また、この排水案内部１の下部は排水底壁部３によって閉塞されていて、この排水底壁部３には、排水口Ｈから排水案内部１内に排水されたドレン水を外部に排水案内するための筒状の排水筒部４を設けてある。
【００２１】
この排水案内部１の周囲は、外郭囲繞部１０によって囲繞されており、この外郭囲繞部１０は、排水案内部１の内部に導出排水されたドレン水を外部に案内する排水ノズル１５を備え、排水案内部１の外側に漏出することがあるドレン水を周囲に飛散させることなく排水ノズル１５に導出案内するように形成して成る。
【００２２】
外郭囲繞部１０自体は、排水案内部１の外周を所定間隔を隔てて囲繞している蛇腹状の周壁部１１と、周壁部１１を周縁部分で立脚させていると共に中央部に至るに伴い次第に下方傾斜している底壁部１２と、この底壁部１２のほぼ中央位置で底壁部１２の下方に突出形成した筒状の連繋筒部１３と、この連繋筒部１３の下部に一体状に接続した排水ノズル１５と、底壁部１２の内底面に連繋筒部１３に通じるように形成した溝状の導出水路１６とを備える。
【００２３】
周壁部１１は、上下方向に沿って伸縮できるように蛇腹状に形成されており、排水案内部１における外径が異なるそれぞれの装着部分１ａ，１ｂ，１ｃのいずれかが排水口Ｈに装着されたときに排水案内部１自体の排水口Ｈからの外出高さが異なることに対応して、装着した排水案内部１の外周における排水口Ｈの周縁で室外機のドレンパンＤに周壁部１１の上端縁が密着するようにしてある。そのため、周壁部１１の上端縁は、周壁部１１の内方に配置されている排水案内部１における最上段の装着部分１ａの装着部位位置に比しやや高くなるように、周壁部１１の高さを形成してあることが望ましい。
【００２４】
また、この蛇腹状の周壁部１１自体は、その内径が排水案内部１における最大径である装着部分１ｃの外径に比しやや大径にしてあって、排水案内部１が排水口Ｈに装着されたときの排水案内部１の外周を囲繞し、排水口Ｈから漏出されることがあるドレン水を外部に飛散させることなく集水させるようにしている。
【００２５】
底壁部１２は、中央位置にある連繋筒部１３に至るに伴い次第に下方に傾斜した、いわば浅底のラッパ状に形成されており、集約されたドレン水を連繋筒部１３に案内排水するようにしている。
【００２６】
連繋筒部１３は、外郭囲繞部１０自体で集水されたドレン水を排水ノズル１５に案内排水させるようにしている。また、この連繋筒部１３には、前記排水案内部１の下部に設けられている排水筒部４を連繋筒部１３自体の内部に嵌め入れさせることで、排水案内部１と一体的に組立結合できるようにしてあって、例えば排水筒部４の外周に形成したオネジを、連繋筒部１３の内周に形成したメネジにネジ止めすることとしてある。もとより、排水案内部１と外郭囲繞部１０とが別体で構成されるときの排水案内部１、外郭囲繞部１０の結合組立はネジ止めに限らないことは勿論である。
【００２７】
なお、形成されたオネジ、メネジの少なくとも一方には、底壁部１２にて集水させたドレン水を排水ノズル１５に案内するための案内水路１４が上下方向に沿ってネジ部分を横断するような少なくとも１本にして溝状に形成されている。ネジ止めによって結合するとき、外郭囲繞部１０によって集水されたドレン水が連繋筒部１３を経て排水ノズル１５内に案内されれば足り、溝状の案内水路１４によらずに、例えばネジ溝、ネジ山によるネジ結合を緩やかにすることで、その間隙によってドレン水を案内するようにしても良い。
【００２８】
排水ノズル１５は、集水されたドレン水を外部に導出案内するよう筒状に形成されており、ホースその他の所定の排水用管路Ｐが接続されるようにしてある。図示例の排水ノズル１５は、連繋筒部１３に対して側方に向けて折曲された態様で一体的に形成されており、排水を円滑にするためにやや下方への傾斜状、例えば１０°程度の傾斜角度に設定されている。
【００２９】
導出水路１６は、底壁部１２の内底面に例えば９０度間隔の放射状に配置した溝状に形成されており、この導出水路１６は前記の案内水路１４に繋げるようにしておくことで、外部への排水を円滑にする。
【００３０】
次にこれの使用の一例を説明すると、所定の室外機における底部のドレンパンＤに開口形成されている排水口Ｈに排水案内部１を嵌め入れるようにして装着し、排水ノズル１５には所定箇所に至るまで排水案内する排水用管路Ｐを接続すれば良い。
【００３１】
排水口Ｈに装着するに際し、排水口Ｈの大小に対応した外径が異なる装着部分１ａ，１ｂ，１ｃのいずれかを選定することで対処可能であり、また、排水案内部１の周囲を外郭囲繞部１０によって囲繞配置することで、例えば排水口Ｈあるいは排水案内部１の外部に漏出することがあるドレン水を集水し、排水ノズル１５に案内排水するようにすれば良い。
【００３２】
なお、排水案内部１と外郭囲繞部１０とは、一体状に形成することもでき、また例えば排水案内部１における排水筒部４と、外郭囲繞部１０における連繋筒部１３との結合によって一体的なものとして組み立てられるようにすることも可能である。
【符号の説明】
【００３３】
Ｄ…ドレンパン                          Ｈ…排水口
Ｐ…排水用管路
１…排水案内部                          １ａ，１ｂ，１ｃ…装着部分
２ａ，２ｂ，２ｃ…係止縁                ３…排水底壁部
４…排水筒部
１０…外郭囲繞部                        １１…周壁部
１２…底壁部                            １３…連繋筒部
１４…案内水路                          １５…排水ノズル
１６…導出水路
【図１】
0003209047.tif 000003
【図２】
0003209047.tif 000004
【図３】
0003209047.tif 000005